(57)【要約】【課題】  眠るように寝つかせるために静かに安定して揺らすことができることはもちろん、揺動が垂直運動となるために、立って歩けるようになった乳児であっても転落するおそれのない安全なスイング式乳児ベットを提供する。【解決手段】  床板が内装される矩形の柵囲い型に枠組みされるベッド本体と、それを四隅でコイルスプリングで吊り下げる同じく矩形に枠組みされる外フレームとの組合せからなり、ベッド本体と外フレームとのいずれか一方の四隅の各縦枠に縦長にガイド溝を設け、他方の四隅にはそのガイド溝に係合するガイド車を取り付けた。【選択図】    図１
2005192771.tif 000002
【特許請求の範囲】
【請求項１】
床板が内装される矩形の柵囲い型に枠組みされるベッド本体と、それを四隅でコイルスプリングで吊り下げる同じく矩形に枠組みされる外フレームとの組合せからなり、ベッド本体と外フレームとのいずれか一方の四隅の各縦枠に縦長にガイド溝を設け、他方の四隅にはそのガイド溝に係合するガイド車を取り付けたことを特徴とするスイング式乳児ベッド。
【請求項２】
ベッド本体は、その枠組みが左右妻枠と、後枠および前枠とからなり、前枠が、枠組み固定される前枠本体と、その上において上下方向に開閉されるスライド扉とからなり、スライド扉の両側の上端にロック金具付きの止め金を取り付け、妻枠の縦枠に止め金が係合するスライド溝を設けてあり、一方、外フレームは、その枠組みについては、コイルスプリングを吊り下げ得るよう頭が高いヘッドフレームと、その両ヘッドフレームを連結する前後両サイドフレームとの組合せからなり、少なくとも前面においてサイドフレームを下端部に低く形成することにより上においてベッド本体が広く開放されていることを特徴とする請求項１記載のスイング式乳児ベッド。
【請求項３】
ベッド本体について、後枠と前枠とに、前枠本体の上端位置とその下方位置に対応して、床受ボルトの通し孔を前後対に設け、床受ボルトで締め付けられる床受ナットに床板を掛止するように構成したことを特徴とする請求項２記載のスイング式乳児ベッド。
【発明の詳細な説明】
【技術分野】
【０００１】
この発明は、乳児を寝かすために適するよう上下に揺動させることのできるスイング式乳児ベットに関する。
【背景技術】
【０００２】
従来、乳児のベットは、普通のベットと同じように、四脚柱によって床板を支持するもので、隣接する各両脚柱との間には、下端部と中途にそれぞれ横木を架設して骨組みを構成し、中途の中横木の上に平たい床板が掛けられる。また、床板よりも上では、左右両側に固定柵が設けられ、それには前後脚柱の上端に上横木を架設し、上横木と中横木との間に多数の縦桟が配列される。また、前後両面側には左右脚柱の間を開閉できるように反転する自由柵が装着される。
【０００３】
そこで、乳児を床に寝かせるときには、前面の自由柵を開いて寝床板の上の敷布団の上に横たえてから、自由柵を閉じておけば、周囲が囲まれているため乳児が転がり落ちるおそれがなく、また、立ち上がっても越えられない高さに自由柵の寸法が設定されているので、乳児が転落する危険は防止される。しかし、いつの間にか成長し、立って自由柵に寄り掛かると身体の重心が自由柵の上を越える事態となり、そのようなときに引っ繰り返るようにして転落することがある。しかも、成長のその時点を親が気づかずにいることが非常に多い。
【０００４】
また、乳児を眠るように寝つかせるには、子守歌を歌うことの他に、揺らすことで効果があるが、従来の乳児用ベットとでは、床板が中横木に掛かって固定されているため、上下に揺らして眠らせるという操作ができなかった。しかし、ベッド全体を揺動できるように、スキーを弓形に曲げたような一対の長い足部材を取り付けたベットを使用されることがあるが、これによると、立って歩くようになった乳児では引っ繰り返って転落しやすく、しかも、揺動が上下前後となり激しいために、乳児の立つ姿勢に悪影響を及ぼしやすいという問題があった。
【発明の開示】
【発明が解決しようとする課題】
【０００５】
この発明は、上記のような実情に鑑みて、眠るように寝つかせるために静かに安定して揺らすことができることはもちろん、揺動が垂直運動となるために、立って歩けるようになった乳児であっても転落するおそれのない安全なスイング式乳児ベットを提供することを課題とした。
【課題を解決するための手段】
【０００６】
上記の課題を解決するために、この発明は、床板が内装される矩形の柵囲い型に枠組みされるベッド本体と、それを四隅でコイルスプリングで吊り下げる同じく矩形に枠組みされる外フレームとの組合せからなり、ベッド本体と外フレームとのいずれか一方の四隅の各縦枠に縦長にガイド溝を設け、他方の四隅にはそのガイド溝に係合するガイド車を取り付けたことを特徴とするスイング式乳児ベッドを提供するものである。
【０００７】
上記の構成によれば、外フレームにベッド本体が四隅の各コイルスプリングにより吊り下げられているために、ベッド本体を揺らすことができるが、ガイド溝とガイド車との係合により、垂直方向に揺動が限定され、しかも、ガイド車で摩擦抵抗が生じない円滑な上下運動が得られる。
【発明の効果】
【０００８】
以上説明したように、この発明のスイング式乳児ベッドによれば、ベッド本体の揺動が垂直方向に限定されるため、乳児を寝かせつけるときには刺激のない安定した静かな揺らし方をすることができ、幼児が立った姿勢で動いたときには、転落や転倒をしないよう安全な上下運動となるという優れた効果がある。
【０００９】
また、ベッド本体が上下方向のスライド扉付き前枠であって、外フレームが前面開放形であると（請求項２）、揺らしやすいばかりでなく、乳児を出し入れしやすく、また、床受ボルトと床受ナットの位置で選択して段違いに床板を支持できるようにすると（請求項３）、さらに乳児の転落防止が確実となり安全である。
【発明を実施するための最良の形態】
【００１０】
図面は、この発明の一実施の形態を示したもので、そのスイング式乳児ベッドＢは、乳児を入れるベッド本体１とそれが上下揺動可能に納まる外フレーム２との組み合わせからなり、ベッド本体１が外フレーム２に四隅でコイルスプリング３，３，３，３で吊り下げられ、コイルスプリング３の伸縮を伴う上下揺動が確実に行われるように、四隅におけるガイド溝５，５，５，５にそれぞれ上下一対のガイド車７，７が係合している（図１，図４）。なお、これら部品からなる上下揺動機構は、断面Ｌ字形のカバー６により外部から見えないように封じられる。
【００１１】
ベッド本体１および外フレーム２は、それぞれ使用者において組立ボルトで組み立て得るようになっており、図２は組立て要領で示すベッド本体１の分解斜視図であり、図３が外フレーム２の分解斜視図である。ベッド本体１は、左右妻枠９，９と、後枠１１と、スライド扉１３付き前枠１２との組み合わせからなり、組み立てた中に床板１０が納められる。また、外フレーム２は、左右両ヘッドフレーム１５，１５と、前後両サイドフレーム１６，１６との組合せからなっている。
【００１２】
まず、ベッド本体１を具体的に説明すると（図２）、その左右妻枠９，９は、前後両縦枠１８，１８が上枠１９と下枠２０とを挟んだ状態で枠組みされ、その枠組みの中に多数本の縦桟が列設される格子２２が嵌め込まれ、格子２２の上と下に妻板２３，２３が嵌め込まれている。また、両縦枠１８，１８には、側方外面に凹溝２５が形成され、前記したガイド溝５のプラスチック長尺部材がその凹溝２５に嵌着される。なお、戸車とレールとの関係のように、ガイド溝５をレール状に形成してもこの発明の趣旨に反しないものとする。
【００１３】
ベッド本体１を吊るために、妻枠９下端の下枠２０にコイルスプリング３，３が止められるが、それが縦枠１８，１８の外面に沿って垂下されるので、下枠２０には外側に張り出す連結金物２７が取り付けられ（図４，図５）、その取付けのために、連結金物２７の両端部に係止片２９，２９を突設し、それがねじ３１，３１で下枠２０に固着される。こうして、ベッド本体１が安定した上下運動をしやすくコイルスプリング３が垂直を保持する。なお、コイルスプリング３の下端には線材４が連結され、下中桟５２にその線材４の貫通孔が穿設されている。
【００１４】
後枠１１は、縦桟３３，３３，・・が列設された妻枠９とほゞ同じ高さの枠構造であって、組立ボルトにより全体が左右両妻枠９，９に結合される。一方、前枠１２については、その本体１２ａが両妻枠９，９と結合されるが、上半部が開閉されるよう上下方向のスライド扉１３付きであって、スライド扉１３の上枠３５の両端には、ロック金具付きの止め金３７，３７を取り付け、左右の妻枠９，９の縦枠１８，１８には、止め金３７，３７が係合するスライド溝３９，３９が設けられている。従って、スライド扉１３を上下することにより上半部を開閉することができる。
【００１５】
床板１０は、後枠１１と前枠１２にそれぞれ左右一対の床受ナット４１，４１により掛止されるが、前枠１２の本体１２ａの上端部と下端部との位置に選択的に設置できるように、上下に床受ボルト４３の通し孔４５，４６が設けられる。図４が床受ナット４１を床受ボルト４３で締め付け、上段位置において床板１０を設置した状態を示したもので、この上段でスライド扉１３が開いていると、床板１０の上面が開放されるために、ベッド本体１を上下に揺らしやすく、また、乳児を容易に出し入れすることができる。
【００１６】
外フレーム２は、ベッド本体１が降下する余裕があるように、その頭高さとなる左右のヘッドフレーム１５，１５について、左右縦枠４７，４７が上枠４９と下枠５０とを挟む枠組み構造であって（図３ないし図５）、上中桟５１と下中桟５２の間が開放されて窓５３となっているが、上下に妻板５５，５５が嵌着される。そして、上中桟５１の下面にねじ込みによりフック５７を取り付け（図１，図５）、縦枠４７，４７の内側に沿ってコイルスプリング３，３が垂下される。また、縦枠４７，４７には、それぞれ上下一対ずつガイド車７，７として戸車が取り付けられる。
【００１７】
外フレーム２の縦枠４７，４７とベッド本体１の縦枠１８，１８とは、一面どうしが直角に付き合う位置関係にあり（図１）、ベッド本体１の縦枠１８，１８の当該一面にガイド溝５を有する。そこで、ガイド車７の取り付けについては、外フレーム２の縦枠４７の当該面に突条５９を突設し、突条５９の先端にガイド車７をビス止めすることにより、ガイド車７の転子７ａがガイド溝５に係合される。ガイド車７のフレームには突条５９の側面に当たるビス止片６１が突設されている。
【００１８】
サイドフレーム１６，１６は、両ヘッドフレーム１５，１５を下端部で連結する幅の板状に形成され、それぞれの左右両端部にキャスター６５，６５が取り付けられる。
【図面の簡単な説明】
【００１９】
【図１】この発明の一実施形態によるスイング式乳児ベッドを示すとともに、その一部を引き出し矢印において示す仮想円内に拡大して内部構造を示す斜視図である。
【図２】同スイング式乳児ベッドにおけるベッド本体の分解斜視図である。
【図３】同スイング式乳児ベッドにおける外フレームの分解斜視図である。
【図４】同スイング式乳児ベッドを示す半部断面した側面図である。
【図５】同スイング式乳児ベッドを示す半部断面した側面図である。
【符号の説明】
【００２０】
１  ベッド本体
２  外フレーム
３  コイルスプリング
５  ガイド溝
７  ガイド車
９  妻枠
１０  床板
１１  後枠
１２  前枠
１２ａ  前枠本体
１３  スライド扉
１５  ヘッドフレーム
１６  サイドフレーム
１８  縦枠
３７  止め金
３９  スライド溝
４１  床受ナット
４３  床受ボルト
４５，４６  通し孔
４７  縦枠
【図１】
2005192771.tif 000003
【図２】
2005192771.tif 000004
【図３】
2005192771.tif 000005
【図４】
2005192771.tif 000006
【図５】
2005192771.tif 000007